(57)【要約】【課題】我国周辺を取巻く海洋の自然運動エネルギーを活用し、３６５日２４時間、無限の電力発電を目指す。総延長約３４、３８６ｋｍの海岸線を有する、 我国の海洋自然エネルギ−を積極的に発電エネルギ−として、活用すれば、水力、火力、原子力等が主力を占めて居る現在の発電力の大半が、再検討される可能性が生まれる。【解決手段】多胴型の発電台船の、胴間船底及び船上に、各種の波力活用発電装置を設置し、波の上下、前後、往復運動、潮流、温度差等、各種の海洋自然エネルギーを全て、発電力に変換する、多機能的な波力発電方法。【選択図】図１
2013160192.tif 000002
【特許請求の範囲】
【請求項１】
多胴型発電台船の胴間船底外部、及び船上に各種の波力エネルギーを電気
エネルギーに変換する為の、浮筒、反転式波受板、各種水車、油圧機器、リニアー発電装置、回転式発電装置等を設置し、上下、前後運動、トロコイド波、サイクロイド波の何れの波にも対応可能で潮流発電や温度差発電も可能な、多胴型発電台船による発電方法。
【発明の詳細な説明】
【技術分野】
【０００１】
本発明は多胴型発電台船の船上及び、胴間船底に、各種の波力活用発電装置装を設置し、
波の上下、前後、往復運動、潮流、温度差等、各種の海洋自然エネルギーを全て、発電力
に変換する波力発電方式。
【背景技術】
【０００２】
従来の発電は水力、火力、原子力、風力、地熱の、いずれもがタービンによる回転運動
による発電方式で、その他近年、太陽光発電か登場したが、夜間発電は不可能である。
【０００３】
水力発電は大型ダムを構築する場合、莫大な土木工事か必要であり、水没地区の補償等
も生じ、完成までの期間が長期に及ぶ。
【０００４】
火力発電は化石燃料を燃焼する為、二酸化炭素の排出を免れない。石炭、油田、天然ガ
スのどれも無限ではなく、いずれ枯渇する事は明確である。
【０００５】
バイオマス発電は火力発電の―種であるか、バイオ燃料も森林破壊や食料、飼料等との
競合になり、世界的に考慮すれば人類や家畜、その他の動物、植物に多大の負担を与える
【０００６】
原子力発電は燃料ウランはプルトニュウムに変換され、再利用可能との事で有るそうだ
が地震、津波等の予想外の天災により大事故か発生すれば、制御不能となり放射能か広範
囲に、しかも長期間にわたり諸々の大被害を及ばす。
【０００７】
風力発電は風力か一定せず安定発電が不可能であり又、大型風車の近隣では低周波障害
等が発生する場合かある又、大型になると落雷か多くなると伝え聞く                   
【０００８】
海上風力発電は海中建柱方式と、台船又は浮揚台式に分別されるか、我国ではいずれも
漁業権、航路権等により風況最適地点での設置は困難であり、発展展開は望み薄い。
【０００９】
地熱発電は最適地の殆どか国立公園や温泉源泉地等に抵触し、適地を容易に獲得する事
か困難であり、主として東北と九州に設置され居てる様で、発展展開か困難。
【００１０】
太陽光発電は近年急速に拡張されつつ有り、二酸化炭素の発生も無く、無公害との事で
有るが、事業的発電では広大な土地面積を必要とし、夜間は発電不能である。
【先行技術文献】
【特許文献】
【００１１】
【特許文献１】特開昭５４−１０７０８６公報
【特許文献２】特開平１１−２８０６３５公報
【００１２】
【非特許文献１】海洋エネルギー発電技術の現状と展望              （Ｓｃiｅｎｃｅ  Ｐｏｒｔａｌ  Ｃｈｉｎａ)
【非特許文献２】波力発電検討会報告書  (波力発電検討会)
【非特許文献３】波力発電の現状  (電力中央研究所有識者会議推進室)
【非特許文献４】波力発電  (フリー百科事典『ｗｉkｉｐｅｄｉａ』)
【非特許文献５】波力発電  (ＡＴＯＭＩＣＡ)
【非特許文献６】海洋発電の話題  ２０１１年７月１８日  海の日に                （蔵前バイオマスエネルギー技術サポートネットワーク)
【発明の概要】
【発明が解決しようとする課題】
【００１３】
日本国内の各種発電設備は上記の各項目に記載した如く、いずれも諸々の問題点が有り
完全な物では無い。しかも殆どが発電機器を作動させるエネルギーの、供給原価は自然の
風力、太陽光、地熱、水力等以外は世界的な諸々の要因により変動をを受け不安定である
【００１４】
海洋エネルギー活用のアイデアーは、上記の各文献等に多載されているが、いずれも、
波力エネルギーを電力に変換する為の、発電機器を保持する方法が解決されず、実用化の
域に達していない。当発明はこの問題解決の一助と成り多くのアイデアーが実用化される
【００１５】
我国周辺を取巻く海洋の、自然運動エネルギーを活用し、３６５日２４時間無限の電力発電を目指す。
【課題を解決するための手段】
【００１６】
自然エネルギーの一つである波力エネルギーを１００％活用する為、多胴型発電台船の
胴間船底より海面に昇降自由の連結ロッドを取付た浮筒を垂下させ、海面の上下に合わせ
船上の、シーソ式架台に積載されたリニア発電機のマグネットか往復運動する事による、
発電現象を集約し電力を取出す。
【００１７】
多胴型発電台船の胴間船底より、海面に連結ロッドを付けた大型の浮筒を垂下させ、海面
の昇降に合わせて、船上設置のシーソ式リニアー発電機を動作させ発電を行なう。
【００１８】
多胴型発電船の胴間船底に振子式の波受板を取付け、此の往復運動により、油圧シリン
ダー、油圧モ一ター、発電ユニット等による、油圧式エネルギー活用の発電装置により電
力を発電させる。
【００１９】
多胴型発電船の胴間型発電船の胴間船底より、昇降式のアウターローター発電機内蔵の
防水型回転水車を海面に垂下させ、風速１〜２ｍ/S程度のトロコイド波による順方向
回転力を活用し発電する。風速が３m/ｓ以上になるとサイクロイド波に変化するので、
上部へ引上げて波走に合わせ回転発電させる。
【００２０】
潮流エネルギーを活用発電の場合は、胴間船底より海面に垂直式回転羽根を有する潮流
水車を垂下させ、その回転力を船上に伝導し発電機を可動させ発電する。
【００２１】
熱帯地方で海水温度差発電の場合は、胴間船底より深海へパイプを重下させ、深海の冷
海水を汲上げ、海面水との温度差を活用し、アンモニア等の低温蒸発液体を蒸発ざせ、
此の蒸気圧でタービンを回転させ発電する。
【００２２】
多胴型発電台船の特徴としては、５胴型以上の発電台船の場合、各々別別の胴間船底に
複数の異形式の発電方式の波力発電を同時に実施する事か可能で、組合わせ次第により、
安定供給発電源とする事も、夢では無い時代か到来する日を確信する。
【００２３】
多胴型発電船上に太陽光発電シート等を設置し発電する。
【００２４】
場合により風力発電も併設可能。
【００２５】
年―回の定期点検等は垂下機器類を引上げ、最寄ドックへ曳航し整備実施。
【発明の効果】
【００２６】
本発明は、従来の多くの海洋エネルギー活用発電技術はいずれも、単体では素晴らしい
技術と、推察されるが発電システムとしては、未だ途半ばの感がする物ばかりの様で有る
そこで、本発明はこれらの発電アイデア−を、完全なシステムとして稼働する様な状態の場を提供し、海洋エネルギーに満溢れれている我国をエネルギーの宝庫と転換致したい。
【図面の簡単な説明】
【００２７】
【図１】多胴型発電台船、正面透視図
【図５】胴間船底垂下式垂直リニアー発電図
【図２】多胴型発電台船、側面透視図
【図６】反転型波受板式油圧シリンダー図
【図３】多胴型発電台船、平面配置図
【図７】潮流水車式発電正面図
【図４】シーソ式リニアー発電側面図
【発明を実施するための形態】
【００２８】
多胴型発電台船は実験段階では３胴型でも可能だが、実用化発電ならば最低５胴型以上
が欲しい、さすればより安定性か得られ、商業ベースに合う事が実証されると推定する。
【００２９】
胴間は３ｍ間隔は必要で、胴体船底は出来得るだけ鋭角のほうが波面の影響が小さい。
【００３０】
胴間船底より海面間ではは約３ｍは確保したい。
【００３１】
発電台船は船幅と船長比率は約２対３程度は必要で船腹容量も安定化に重要です。
【００３２】
胴間の構造は構造的に出来得るだけ堅固にし船胴休と同様な強度にすべきである。
【００３３】
発電台船は風況調査等による年問最多風向へ舳先を向けて舳アンカーを沈め固定する。
船尾からは、大型のシーアンカーを投下し、船の方向安定度を保持する。
【００３４】
発電台船の船尾近くに、ステーションキーピングの為の三角帆を設置し、舳先が常に
風上に向いて居る様にし、出来得る限り安定的波形が胴間船底を通過する様にする。
【００３５】
発電台船の舳先の胴間船底から、浮遊物侵入防止用の大型網目のローブネットを展開。
【００３６】
他船舶との衝突防止の為、発電台船の舳先と船尾に柱を建て、旗と標識灯を設置する。
【００３７】
船胴間が複数条なので、各胴曲船底別に、浮筒式、水車式、波受板式等の諸々の異なった
方法の発電が同時可能で、効率比較も容易で組合せ次第で、より安定的発電が可能
【産業上の利用可能性】
【００３８】
我国周辺を取巻く海洋自然運動エネルギーを活用し３６５日２４時間、無限の発電電力
を得る事が、実現可能に近付く。。
【００３９】
総延長約３４、３８６ｋｍの海岸線を有する、 我国の海洋自然エネルギ−を積極的に発電エネルギ−として、活用すれば、水力、火力、原子力等が主力を占めて居る現在の発電力の大半が、再検討される可能性が生まれる。
【符号の説明】
【００４０】
1、船胴体  2、胴間船体  3、胴間船底  4、連結ロッド  5、シーソ式架台  6、回転式発電機  7、反転式リニアー発電機  8、垂直式リニアー発電機  9、クランクシャフト  10、油圧機器 11、反転回転盤  12、垂直型水車  13、反転式波受板、 14、波受板回転軸   15、浮筒
16、船尾三角帆  17、舳アンカー  18、船尾安定用シ−アンカ−  20、標識灯旗用柱
21、転落防止手摺  22、浮遊物防止ロ−プネット  23、海水面   24、引出電線
【図１】
2013160192.tif 000003
【図２】
2013160192.tif 000004
【図３】
2013160192.tif 000005
【図４】
2013160192.tif 000006
【図５】
2013160192.tif 000007
【図６】
2013160192.tif 000008
【図７】
2013160192.tif 000009